(57)【要約】  電子リーダーデバイス用保護ケースは、当該電子リーダーデバイスを固定するように構成される背面カバーを有する。前記背面カバーは、各々が所定の位置に設けられる複数の金属板を有する。当該保護ケースはまた、複数の磁石を有する前面カバーをも有する。前記複数の磁石の各々は所定の位置に設けられ、前記複数の磁石のうちの１つ以上は１つ以上の対応する金属板の位置に基づいて設置される。前記背面カバーはまた、磁気遮蔽体の上部に設けられるホールセンサ磁石をも有する。前記ホールセンサ磁石は、当該保護ケースが閉状態にあるとき、当該保護ケースの前記磁気遮蔽体と前記背面カバーとの間に設けられる。
2019525352.tif 000002
【特許請求の範囲】
【請求項１】
電子リーダーデバイス用保護ケースであって、
各々が所定の位置に設けられる複数の金属板を有して当該電子リーダーデバイスを固定するように構成される背面カバーと、
複数の磁石を有する前面カバーを有し、
前記複数の磁石の各々は所定の位置に設けられ、
前記複数の磁石のうちの１つ以上は１つ以上の対応する金属板の位置に基づいて設置され、
前記背面カバーはまた、磁気遮蔽体の上部に設けられるホールセンサ磁石を有し、
前記ホールセンサ磁石は、当該保護ケースが閉状態にあるとき、当該保護ケースの前記磁気遮蔽体と前記背面カバーとの間に設けられる、
保護ケース。
【請求項２】
請求項１に記載の保護ケースであって、前記複数の金属板は、第１金属板、第２金属板、及び折り返し金属板を有する、保護ケース。
【請求項３】
請求項２に記載の保護ケースであって、前記複数の磁石は、前記第１金属板に基づいて位置設定される第１スタンド磁石を有する、保護ケース。
【請求項４】
請求項２に記載の保護ケースであって、前記複数の磁石は、前記第２金属板に基づいて位置設定される第２スタンド磁石を有する、保護ケース。
【請求項５】
請求項２に記載の保護ケースであって、前記複数の磁石は、前記折り返し金属板に基づいて位置設定される折り返し磁石を有する、保護ケース。
【請求項６】
請求項２に記載の保護ケースであって、前記第１金属板、前記第２金属板、及び前記折り返し金属板は、当該保護ケースの前面カバーが当該電子リーダーデバイスの背後に折り畳まれているときに、当該電子リーダーデバイスを当該保護ケースの背面カバーに固定するように、前記第１スタンド磁石、前記第２スタンド磁石、及び前記折り返し磁石とそれぞれ磁気的に結合される、保護ケース。
【請求項７】
請求項２に記載の保護ケースであって、前記第１金属板及び前記第２金属板は、前記第１スタンド磁石及び前記第２スタンド磁石とそれぞれ磁気的に結合され、当該保護ケースの前面カバーの一部分は立ち状態となるように折り込まれる、保護ケース。
【請求項８】
請求項６に記載の保護ケースであって、前記磁気遮蔽体は、当該保護ケースの前面カバーが当該電子リーダーデバイスの背後で折り畳まれているときに、前記ホールセンサ磁石による当該電子リーダーデバイス内に設けられたホールセンサの作用の誘発を防止するように構成される、保護ケース。
【請求項９】
請求項１に記載の保護ケースであって、前記複数の磁石は、前記前面カバー内の第１所定の位置に存在する第１閉磁石を有し、前記第１閉磁石の所定の位置は、当該電子リーダーデバイス内に設けられた第２閉磁石に基づき、前記前面カバーが閉状態にあるときに前記第２閉磁石と磁気的に結合し、前記閉状態は、前記前面カバーが当該電子リーダーデバイスのディスプレイを覆う状態に対応する、保護ケース。
【請求項１０】
請求項９に記載の保護ケースであって、前記ホールセンサ磁石は、当該電子リーダーデバイスの所定の位置に設けられた前記ホールセンサに基づいて前記前面カバーの所定の位置に設けられ、当該保護ケースの前面カバーが前記第１閉磁石及び前記第２閉磁石を介して当該電子リーダーデバイスに固定されるときに前記ホールセンサの作用を誘発するように構成され、
当該電子リーダーデバイスは、前記ホールセンサ磁石が前記ホールセンサの作用を誘発するのに応じてスリープモードになる、
保護ケース。
【請求項１１】
ホールセンサを含む電子リーダーデバイス及び保護ケースを有するシステムであって、
当該保護ケースは、各々が所定の位置に設けられる複数の金属板を有して当該電子リーダーデバイスを固定するように構成される背面カバーと、複数の磁石を有する前面カバーを有し、
前記複数の磁石の各々は所定の位置に設けられ、
前記複数の磁石のうちの１つ以上は１つ以上の対応する金属板の位置に基づいて設置され、
前記背面カバーはまた、磁気遮蔽体の上部に設けられるホールセンサ磁石を有し、
前記ホールセンサ磁石は、当該保護ケースが閉状態にあるとき、当該保護ケースの前記磁気遮蔽体と前記背面カバーとの間に設けられる、
システム。
【請求項１２】
請求項１１に記載のシステムであって、
前記背面カバーは複数の金属板を有し、
前記複数の金属板のうちの少なくとも一は当該保護ケース内の所定の位置に設けられ、
前記複数の金属板のうちの少なくとも一の所定の位置は、前記複数の磁石のうちの対応する磁石の位置に基づく、
システム。
【請求項１３】
請求項１２に記載のシステムであって、
前記複数の金属板は、前記背面カバー内に設けられた第１金属板を有し、
前記第１金属板は前記前面カバー内に設けられた前記第１スタンド磁石に基づいて設けられる、
システム。
【請求項１４】
請求項１２に記載のシステムであって、
前記複数の金属板は、前記背面カバー内に設けられた第２金属板を有し、
前記第２金属板は前記前面カバー内に設けられた前記第２スタンド磁石に基づいて設けられる、
システム。
【請求項１５】
請求項１２に記載のシステムであって、
前記複数の金属板は、前記背面カバー内に設けられた折り返し金属板を有し、
前記折り返し金属板は前記前面カバー内に設けられた前記折り返し磁石に基づいて設けられる、
システム。
【請求項１６】
請求項１２に記載のシステムであって、前記第１金属板、前記第２金属板、及び前記折り返し金属板は、当該保護ケースの前面カバーが当該電子リーダーデバイスの背後に折り畳まれているときに、当該電子リーダーデバイスを当該保護ケースの背面カバーに固定するように、前記第１スタンド磁石、前記第２スタンド磁石、及び前記折り返し磁石とそれぞれ磁気的に結合される、システム。
【請求項１７】
請求項１２に記載のシステムであって、
前記第１金属板及び前記第２金属板は、前記第１スタンド磁石及び前記第２スタンド磁石とそれぞれ磁気的に結合され、
当該保護ケースの前面カバーの一部分は立ち状態となるように折り込まれる、
システム。
【請求項１８】
請求項１６に記載のシステムであって、前記磁気遮蔽体は、当該保護ケースの前面カバーが当該電子リーダーデバイスの背後で折り畳まれているときに、前記ホールセンサ磁石による当該電子リーダーデバイス内に設けられたホールセンサの作用の誘発を防止するように構成される、システム。
【請求項１９】
請求項１１に記載のシステムであって、前記複数の磁石は、前記前面カバー内の第１所定の位置に存在する第１閉磁石を有し、前記第１閉磁石の所定の位置は、当該電子リーダーデバイス内に設けられた第２閉磁石に基づき、前記前面カバーが閉状態にあるときに前記第２閉磁石と磁気的に結合し、前記閉状態は、前記前面カバーが当該電子リーダーデバイスのディスプレイを覆う状態に対応する、システム。
【請求項２０】
請求項１９に記載のシステムであって、
前記ホールセンサ磁石は、当該電子リーダーデバイスの所定の位置に設けられた前記ホールセンサに基づいて前記前面カバーの所定の位置に設けられ、当該保護ケースの前面カバーが前記第１閉磁石及び前記第２閉磁石を介して当該電子リーダーデバイスに固定されるときに前記ホールセンサの作用を誘発するように構成され、
当該電子リーダーデバイスは、前記ホールセンサ磁石が前記ホールセンサの作用を誘発するのに応じてスリープモードになる、
システム。
【発明の詳細な説明】
【技術分野】
【０００１】
本願は、デバイスのケース磁石用システム及び方法に関する。
【背景技術】
【０００２】
本願は、参照によって組み込まれている２０１６年８月１６日に出願された米国仮出願第６２／３７５７４５号の利益を主張する。関連出願である米国特許第９４５１８１８号、第４７５２７６号、第４７５２７４号、第４７５２７５号、第４７５２８０号、第４７５２８２号、及び第４７５２７７号はそのすべてが参照によって組み込まれる。
【０００３】
本願で与えられる「背景技術」は、本開示の文脈を概略的に与えることを目的とする。この背景技術で説明されている範囲での現時点で名前が記載されている発明者の仕事は、出願時での従来技術として述べられていない記載の態様同様、本発明に対する従来技術としては明示的にも暗示的にも認められない。携帯式情報処理デバイス−たとえばラップトップ、ＰＤＡ、メディアプレーヤー、ゲームコンソール、タッチパッド、スマートフォン、ｅリーダー等−は、より洗練されるように進化してきた。インターネットデータ記憶、データ伝送、及び無線通信のみならず、携帯式情報処理デバイスのデータ処理能力についての技術が急激に発展したことで、消費者は、そのようなデバイス−たとえばビデオ鑑賞、写真の閲覧、ビデオ会議、読書、インターネットブラウジング、ｅメール送信、オンラインチャット、ビデオゲームで遊ぶ等−を用いることに費やす時間を増大させている。携帯性についての消費者の要求を満たすため、様々な携帯式情報処理デバイスの設計上の傾向は、当該デバイスを薄くて小さくすることを強調し続けている。最新の携帯式情報処理デバイスには、当該デバイスの本体に固定されるタッチスクリーンパネルが設けられる。デバイスを手に持たない状態で、閲覧時での視覚上の不快感を緩和するように人間工学に基づく視野角でディスプレイスクリーンを閲覧するには、ユーザーは通常、水平に広がる面（たとえば机）上でデバイスを傾斜した角度（又は直立状態）に設置する必要がある。ほとんどの携帯式情報処理デバイスには、直立状態で当該デバイスを支持する組み込みのスタンドは備えられていない。様々な構成の外付けアクセサリは一般的に、そのようなデバイスをユーザーの意図する方位に支えるのに用いられる。アクセサリ製品の中には、スタンドがデバイスのモデルに特化した保護ケースと一体化しているものもあれば、スタンド専用として設計されているものもある。
【発明の概要】
【発明が解決しようとする課題】
【０００４】
前段落は、概略的な導入として供されており、以降の請求項の技術的範囲を限定することを意図されていない。記載される実施形態は、さらなる利点と共に、添付図面と共に以降の詳細な説明を参照することによって最もよく理解される。
【課題を解決するための手段】
【０００５】
開示された対象の態様によると、電子リーダーデバイス用保護ケースは、当該電子リーダーデバイスを固定するように構成される背面カバーを有する。前記背面カバーは、各々が所定の位置に設けられる複数の金属板を有する。当該保護ケースはまた、複数の磁石を有する前面カバーをも有する。前記複数の磁石の各々は所定の位置に設けられ、前記複数の磁石のうちの１つ以上は１つ以上の対応する金属板の位置に基づいて設置される。前記背面カバーはまた、磁気遮蔽体の上部に設けられるホールセンサ磁石をも有する。前記ホールセンサ磁石は、当該保護ケースが閉状態にあるとき、当該保護ケースの前記磁気遮蔽体と前記背面カバーとの間に設けられる。
【図面の簡単な説明】
【０００６】
本開示のより完全な理解及びそれに付随する利点の多くは、以降の詳細な説明を、関連する添付図面を検討しながら参照することでよりよく理解されることで、容易に得られる。
【図１】開示された対象の１つ以上の態様による保護ケースの典型的概略図を表している。
【図２】開示された対象の１つ以上の態様による保護ケースを備える電子リーダーデバイスの典型的概略図を表している。
【図３Ａ】開示された対象の１つ以上の態様による閉状態での保護ケースの前面を表している。
【図３Ｂ】開示された対象の１つ以上の態様による閉状態での保護ケースの斜視図を表している。
【図４Ａ】開示された対象の１つ以上の態様による電子リーダーデバイスの背後で折り畳まれている保護ケースの一部の前面を表している。
【図４Ｂ】開示された対象の１つ以上の態様による電子リーダーデバイスの背面と当該電子リーダーデバイスの背後で折り畳まれている保護ケースの一部の背面の斜視図を表している。
【図５Ａ】開示された対象の１つ以上の態様による立ち状態での保護ケースの斜視図を表している。
【図５Ｂ】開示された対象の１つ以上の態様による立ち状態での保護ケースの背面図を表している。
【発明を実施するための形態】
【０００７】
添付図面と関連させながら以降からの説明は、開示された対象の様々な実施形態の説明として意図され、必ずしも最適の（複数の）実施形態を表すことを意図していない。ある場合では、説明は、開示された対象を理解する目的についての具体的詳細を含む。しかし実施形態はこれらの具体的詳細がなくても実施可能であることは当業者には明らかである。場合によっては、開示された対象の基本概念が曖昧になるのを回避するため、周知の構造及び構成要素はブロック図の形式で示されることがある。
【０００８】
明細書中の「一の実施形態」又は「ある実施形態」と言及するのは、ある実施形態に関連して説明される特定の特徴、構造、特性、動作、又は機能が、開示された対象の少なくとも１つの実施形態に含まれることを意味する。よって明細書中の「一の実施形態」又は「ある実施形態」という語句が出てきても、必ずしも同一の実施形態を参照しているわけではない。さらにその特定の特徴、構造、特性、動作、又は機能は１つ以上の実施形態中において任意の適切な方法で組み合わせられてよい。さらに開示された対象の実施形態は説明した実施形態の修正型及び変化型を網羅できることを意図している。
【０００９】
明細書及び特許請求の範囲で用いられているように、明示的に複数形で表記されていなくても複数形を含むことに留意しなければならない。つまり明示的に複数形で表記されていなければ、「１つ以上」を意味する。それに加えて明細書中で用いられる「左」、「右」、「上」、「下」、「前」、「後ろ」、「側部」、「高さ」、「長さ」、「幅」、「上方」、「下方」、「内部」、「外部」、「外側」、「内側」等は、地点について述べているだけであり、必ずしも開示された対象の実施形態を特定の配置又は構成に限定するものではない。さらに「第１」、「第２」、「第３」等の語句は単に、明細書中に記載された部品、構成要素、参照地点、動作、及び／又は機能の数を特定しているだけで、必ずしも開示された対象の実施形態を特定の配置又は構成に限定するものではない。
【００１０】
ここで図面を参照する。図中同様の参照番号は同一または対応の部品を表す。
【００１１】
図１は、開示された対象の１つ以上の態様による保護ケース１００の典型的概略図を表している。保護ケース１００は、携帯式情報処理デバイス（たとえば電子リーダーデバイス）用のアクセサリとして設計される折り畳み式ハードカバー上の１回折り曲げスタンド構造を採用するように構成されてよい。折り畳み式ハードカバーは、たとえばカバーされた状態で情報処理デバイスのディスプレイスクリーンを保護する前面カバー及びディスプレイが開いた状態でのスタンドとして機能してよい。折り畳み式カバーは、上部、折り返し部、及び、２つの部材の間で当該折り畳み式カバーにわたって対角状に延びる単一折り返しヒンジを有する。折り返し部は、上部と同一面となる状態と折り畳み状態との間を単一折り畳みヒンジの周りで回転してよい。２回回転させると、折り畳み式カバーは、支持面上の傾斜角でデバイスを保持するディスプレイスタンドに変換され得るので、デバイスのユーザーにとって快適な視界を供する。折り返し部は、前面カバーの下部であってよいし、又は単一の折り畳みヒンジで前面カバーと結合する別な層であってよい。さらに折り畳み式カバーは、背部ヒンジを介して背面に結合されてよい。背面カバーは折り畳み可能でなくてよいし、又は同一の折り畳み構成を有することで、前面カバーと一致してスタンドとなるように折り畳まれてよい。
【００１２】
全体として本願では、周りで前記折り畳み式カバーの折り返し部は回転可能な角度のついた折り畳み式ヒンジを有する少なくとも１つの折り畳み式カバーを備える携帯式情報処理デバイス用保護ケースが供される。それにより前記折り畳み式カバーは、支持面に対して傾斜した角度で当該携帯式情報処理デバイスを支持するように動作可能なスタンドに変換される。
【００１３】
ある実施形態では、典型的な保護ケースは、前記前面カバー上に設けられて、電子リーダーデバイスを保護するだけではなく、本開示に従って直立状態で当該電子リーダーデバイスを支持するように動作可能な対角状の折り畳み式ヒンジを有してよい。
【００１４】
当該保護ケースは、背部ヒンジを介して回転可能に結合して一体となる前面カバーと背面カバーを有してよい。当該電子リーダーデバイスはたとえば、取外し可能なように取り付けられ（固定され）、かつ、前記背面に固定されてよい。前記前面カバーは、該前面カバーを、前記背部ヒンジの隣の上部と、下部とに分割する単一の折り畳み式ヒンジを有してよい。
【００１５】
前記カバーの折り畳み式ヒンジは、前記前面カバーを略対角状に延びて、長方形の前記前面カバーの２つの対向する端部で終端する。前記下部は、前記前面カバーの長い端部と一致する端部、及び、前記前面カバーの短い端部と一致する他の端部を有してよい。
【００１６】
当該電子リーダーデバイスが使用されていないとき、前記前面カバーの２つの部分は、同一面となり、かつ、有利となるように当該電子リーダーデバイスのディスプレイスクリーン全体を覆うことで、外部からの損傷から当該電子リーダーデバイスのディスプレイスクリーンを保護してよい。また前記背面カバーは、当該電子リーダーデバイスの背面を保護するのに用いられてよい。
【００１７】
当該電子リーダーデバイスが使用されているとき、特にディスプレイスクリーンがオンになっているとき、前記前面カバーは、前記背部ヒンジの周りで回転して開ディスプレイ状態となることで、前記ディスプレイスクリーンを曝露してよい。ユーザーが、デバイスを手に持たない状態で、当該電子リーダーデバイスを直立状態で保持することを意図している場合、前記前面カバーは、当該電子リーダーデバイスの背面へ向かってさらに回転し（たとえば当該電子リーダーデバイスの後方に折り畳まれ）、かつ、前記下部は、前記折り畳み式ヒンジの周りで前記上部に対して回転することで折り畳み状態になってよい。つまり一回の折り畳みによって、前記前面カバーは頑丈な支持スタンドに変換される。前記の折り畳み状態での前記下部は、前記支持面と直接接触する端部のみを有する。その結果、当該電子リーダーデバイスは有利となるように、傾斜した角度で外部の前記支持面上に留まることができる。
【００１８】
前記下部が単一折り返し状態にある前記前面カバーは、肖像画方位と背景画方位の両方において当該電子リーダーデバイスを直立に支持し得る。たとえば前記下部と前記上部とは、瞬間の折り畳み状態で１３０°の角度をなす。前記上部に対する前記下部の折り畳み状態を変更することなく、前記前面カバーは、肖像画視野モードと背景画視野モードの両方においてタブレットを直立状態で支持し得る。つまりユーザーは、前記前面カバーの折り畳み角度を再調節することなく当該電子リーダーデバイスの視野方位を変更することができる。しかし一部の他の実施形態では、肖像画視野モードと背景画視野モードは、安定性を実現するために異なる角度で折り畳まれてよい。
【００１９】
当該保護ケース及び関連部品は、当技術分野において周知となっている任意の適切な方法及び材料で製造されてよい。前記背面カバーは基本的に、剛性で折り畳み付加のパネルを有してよい。ある実施形態では、１つ以上の磁石が前記前面カバー及び／又は前記背面カバー内に設置されて（たとえば埋め込まれて）よい。それにより前記上部は、磁力によって前記背面カバーと共形となり得る。
【００２０】
前記折り畳み状態では、たとえば前記上部と前記下部は１３０°の角度をなしてよい。これは前記下部の停止状態であってもよい。ユーザーが、前記上部と共面をなす状態と前記停止状態との間で前記下部を調節することで、安定な角度の連続する範囲は実現され得る。前記下部の停止状態又は回転限界は前記折り畳み式カバーの構成に依存することに留意して欲しい。本開示による保護ケースの製品設計においては、停止状態は、当該携帯式情報処理デバイスの重さ及び寸法、前記折り畳み式ヒンジの幾何学的形状、位置、及び方位、前記前面カバー及び前記背面カバーの製造に用いられる材料、並びに実現されるべき傾斜角の範囲等を考慮して決定されてよい。
【００２１】
当該保護ケースは、１つ以上の剛性パネル又は補強構造を覆う（外側表面及び内側表面用に）柔らかい材料で作られてよい。前記柔らかい材料は、ポリウレタン（ＰＵ）薄板、ネオプレン、シリコーン、マイクロファイバ布、皮、ゴム、ビニール、塩化ポリビニル（ＰＶＣ）、プラスチック等のうちの１つ以上を含んでよい。前記補強構造は、剛性ポリカーボネート（ＰＣ）又は他のプラスチック、木材、金属等のうちの１つ以上を含んでよい。
【００２２】
前記折り畳みヒンジの領域は前記柔らかい材料のみを含み補強構造を欠いてよい。ある実施形態では、前面カバーの上部及び下部は、補強構造の観点で異なる材料を有してよい。たとえば前記上部にはＥＶＡ発泡性シートが用いられ、かつ、前記下部にはポリカーボネートが用いられてよい。
【００２３】
変換可能な保護ケースの構成は単一又は複数の携帯式情報処理デバイス向けにカスタマイズされてよいことに留意して欲しい。保護ケースは任意の種類の携帯式電子デバイス―たとえばタブレットコンピュータ、タッチパッド、スマートフォン、ｅリーダー、ラップトップ、ＧＰＳ、ＰＤＡ等―向けに設計されてよい。
【００２４】
保護ケース１００は、第１スタンド磁石１０５、第２スタンド磁石１１０、閉磁石１１５、磁気遮蔽体１２０、ホールセンサ磁石１２５、折り返し磁石１３０、ボタンカバー１３５（ボタンカバー１３５は、保護ケース１００の背面カバーに統合され、かつ、電子リーダーデバイスに統合された電源／スリープボタンを覆うように構成されてよい。）、第１金属板１４０、第２金属板１４５、及び折り返し板１５０を有してよい。より具体的には、保護ケース１００の前面カバー（図１に表されているように保護ケース１００の左側に対応する）は、第１スタンド磁石１０５、第２スタンド磁石１１０、閉磁石１１５、磁気遮蔽体１２０、ホールセンサ磁石１２５、及び折り返し磁石１３０を有してよい。それに加えて保護ケース１００の背面カバー（図１に表されているように保護ケース１００の右側に対応する）は、ボタンカバー１３５、第１金属板１４０、第２金属板１４５、及び折り返し金属板１５０を有してよい。第１スタンド磁石１０５、第２スタンド磁石１１０、閉磁石１１５、磁気遮蔽体１２０、ホールセンサ磁石１２５、折り返し磁石１３０、ボタンカバー１３５、第１金属板１４０、第２金属板１４５、及び折り返し金属板１５０の各々は、保護ケース１００が電子リーダーデバイスに固定されるときに、保護ケース１００の他の構成要素及び／又は電子リーダーデバイスの対応する構成要素と相互作用できるように所定の位置に設けられてよい。
【００２５】
図２は、開示された対象の１つ以上の態様による保護ケース（たとえば保護ケース１００）を備える電子リーダーデバイス２１５を有するシステム２００の典型的概略図を表している。システム２００の保護ケースは、第１スタンド磁石１０５、第２スタンド磁石１１０、閉磁石１１５、磁気遮蔽体１２０、ホールセンサ磁石１２５、折り返し磁石１３０、ボタンカバー１３５、第１金属板１４０、第２金属板１４５、及び折り返し金属板１５０を有してよい。他方電子リーダーデバイスは保護ケース１００の背面カバー内に固定されている。電子リーダーデバイス２１５は、デバイスを閉じる磁石２０５及びホールセンサ２１０を有してよい。デバイスを閉じる磁石２０５は、保護ケース１００の前面カバーが閉状態にある（たとえば保護ケースの前面カバーが電子リーダーデバイス２１５を覆う）ときに閉磁石１１５と磁気的に接触するように構成され得るように、電子リーダーデバイス２１５内の所定の位置に設けられてよい。同様にホールセンサ２１０は、保護ケース１００が閉状態にあるときに、ホールセンサ磁石１２５と相互作用するように、電子リーダーデバイス２１５内の所定の位置に設けられてよい。
【００２６】
図３Ａは、開示された対象の１つ以上の態様による閉状態での保護ケース（たとえば保護ケース１００）を有するシステム３００の前面を表している。矢印３０５は、システム３００の保護ケースの閉方向に対応する。前記閉方向は、電子リーダーデバイス（たとえば電子リーダーデバイス２１５）が保護ケースの背面カバーに固定される間での電子リーダーデバイス２１５の前面を覆う保護ケースの前面カバーに対応する。
【００２７】
図３Ｂは、開示された対象の１つ以上の態様による閉状態での保護ケース（たとえば保護ケース１００）を有するシステム３００の斜視図を表している。より具体的には、保護ケースの前面カバーは、電子リーダーデバイス２１５の前面を覆い、かつ、閉磁石１１５及びデバイスを閉じる磁石２０５（図２に図示）の磁気結合を介して電子リーダーデバイスに固定されてよい。同様にホールセンサ１２５は、保護ケースが電子リーダーデバイスの前面を覆うとき（このときたとえば電子リーダーデバイスの前面は電子リーダーデバイスのディスプレイスクリーンに対応してよい。）に、ホールセンサ磁石２１０（図２に図示）と相互作用するように、所定の位置に設けられてよい。ホールセンサ２１０及びホールセンサ磁石１２５が所定の位置をとることよって、電子リーダーデバイスはスリープモードに入ることが可能となる。より具体的には、ホールセンサ２１０とホールセンサ磁石１２５との相互作用は、ホールセンサ磁石１２５によって、電子リーダーデバイスをスリープモードにし得るホールセンサ２１０の作用が誘発されるように構成されてよい。
【００２８】
図４Ａは、開示された対象の１つ以上の態様による電子リーダーデバイス（たとえば電子リーダーデバイス２１５）の背後で前面カバーが折り畳まれている保護ケース（たとえば保護ケース１００）を有するシステム４００の前面を表している。矢印４０５は、電子リーダーデバイスの背後で折り畳まれている保護ケースの前面カバーを示す方向に対応してよい。
【００２９】
図４Ｂは、開示された対象の１つ以上の態様によるシステム４００の背面の概略図を表している。ここで保護ケース（たとえば保護ケース１００）の前面カバーは、電子リーダーデバイス（たとえば電子リーダーデバイス２１５）の背後で折り畳まれている。第１スタンド磁石１０５、第２スタンド磁石１１０、及び折り返し磁石１３０の各々の保護ケースの前面カバー内での所定の位置は、第１金属板１４０、第２金属板１４５、及び折り返し金属板１５０の各々の所定の位置に対応するように設けられてよい。より具体的には、第１スタンド磁石１０５、第２スタンド磁石１１０、及び折り返し磁石１３０の各々と第１金属板１４０、第２金属板１４５、及び折り返し金属板１５０の各々は、図４Ｂに示されているように、保護ケースの前面カバーが電子リーダーデバイスの背後に折り畳まれているときに、第１スタンド磁石１０５、第２スタンド磁石１１０、及び折り返し磁石１３０が、第１金属板１４０、第２金属板１４５、及び折り返し金属板１５０とそれぞれ磁気的に結合するように位置設定されてよい。それに加えて磁気遮蔽体１２０は、保護ケースの前面カバー内でかつホールセンサ磁石１２５と電子リーダーデバイスとの間に設けられてよい。ホールセンサ磁石１２５がホールセンサ２１０と相互作用すること、及び、電子リーダーデバイスを意図しないときにスリープモードにしてしまうことを防止するため、磁気遮蔽体１２０は、ホールセンサ磁石１２５と電子リーダーデバイスとの間に設けられてよい。換言すると、磁気遮蔽体１２０は、保護ケースの前面カバーが電子リーダーデバイスの背後で折り畳まれているときに、ホールセンサ磁石１２５によるホールセンサ２１０の作用の誘発を防止してよい。
【００３０】
図５Ａは、開示された対象の１つ以上の態様による立ち状態での保護ケース（たとえば保護ケース１００）を有するシステム５００の斜視図を表している。ある実施形態では、電子リーダーデバイスが保護ケースの背面内に固定されている間、保護ケースの前面カバーは、電子リーダーデバイス（たとえば電子リーダーデバイス２１５）の背後で折り畳まれてよい。保護ケースの前面カバーが電子リーダーデバイスの背後で折り畳まれている一方で、前面カバーの一部（たとえば部分５１０）は、たとえばスタンドとして用いられ得るように図示されているように矢印５０５のように折り込まれてよい。
【００３１】
保護ケース１００が立ち状態にある間、デバイスは所定の状態で固定されてよい。前記所定の状態はたとえば、前記デバイスを簡便に閲覧し、かつ、前記デバイスと簡便に相互作用するため、前記デバイスを所定の角度で固定してよい。それに加えて前記デバイスは、立ち状態に基づいて、保護ケース１００を介して水平及び／又は垂直に固定されてよい。
【００３２】
図５Ｂは、開示された対象の１つ以上の態様によるシステム５００の背面図を表している。ここでは保護ケースの前面カバーの部分５１０は立ち状態であってよい。部分５１０が立ち状態にある間、第１スタンド磁石１０５及び第２スタンド磁石１１０は、保護ケースの背面カバー内に設けられた第１金属板１４０及び第２金属板１４５と磁気的に結合したままである。そのため、部分５１０が自由に立ち状態になる及び／又は立ち状態から元に戻るように動ける一方で、保護ケースの前面カバーを保護ケースの背面カバーに固定された状態が保持され得る。
【００３３】
保護ケース１００は、様々な磁石、金属板、及び遮蔽体の厳密な位置設定を含む複数の利点を有する。たとえば保護ケースの機能は、様々な構成要素（第１スタンド磁石１０５、第２スタンド磁石１１０、及び折り返し磁石１３０の各々と第１金属板１４０、第２金属板１４５、及び折り返し金属板１５０が含まれてよい。）の位置の結果顕著に改善され得る。その理由は、保護ケースは、閉状態（たとえば保護ケース１００の前面カバーが電子リーダーデバイス２１５のディスプレイを覆うとき）及び／又は読書状態（たとえば保護ケース１００の前面カバーが電子リーダーデバイス２１５の背後に折り畳まれているとき）で固定され得るからである。それに加えて読書状態でさえ、保護ケース１００の前面カバーは立ち状態になるように折り曲げられてよい。さらに磁気遮蔽体１２０は、ホールセンサ磁石１２５とホールセンサ２１０との間の相互作用を防止しながら保護ケース１００を読書状態にすることを可能にする。そのため電子リーダーデバイスは意図せずにスリープモードにならない。
【００３４】
開示された対象についての説明が、単なる例示による説明であって限定ではないことは当業者には明らかである。よってたとえ特定の構成が説明されてきたとしても、他の構成が用いられてよい。多数の修正型及び他の実施形態（たとえば組み合わせ、再構成等）は、本開示によって可能であり当業者が想到し得る範囲内で、かつ、開示された対象及びその均等物の範囲内に属することが予想される。開示された実施形態の特徴は、結合、再構成、省略等されることで、本発明の範囲内でさらなる実施形態を生成し得る。さらにある特徴が、対応する他の特徴を用いることなく利点を奏するのに用いられてよい。したがって（複数の）出願人は、開示された対象の技術的思想の範囲内であるそのような代替型、修正型、均等物及び変化型を含むことを意図する。
【００３５】
（１）電子リーダーデバイス用保護ケースであって、各々が所定の位置に設けられる複数の金属板を有して当該電子リーダーデバイスを固定するように構成される背面カバーと、複数の磁石を有する前面カバーを有し、前記複数の磁石の各々は所定の位置に設けられ、前記複数の磁石のうちの１つ以上は１つ以上の対応する金属板の位置に基づいて設置され、前記背面カバーはまた、磁気遮蔽体の上部に設けられるホールセンサ磁石を有し、前記ホールセンサ磁石は、当該保護ケースが閉状態にあるとき、当該保護ケースの前記磁気遮蔽体と前記背面カバーとの間に設けられる、保護ケース。
【００３６】
（２）（１）に記載の保護ケースであって、前記複数の金属板は、第１金属板、第２金属板、及び折り返し金属板を有する、保護ケース。
【００３７】
（３）（１）乃至（２）に記載の保護ケースであって、前記複数の磁石は、前記第１金属板に基づいて位置設定される第１スタンド磁石を有する、保護ケース。
【００３８】
（４）（１）乃至（３）に記載の保護ケースであって、前記複数の磁石は、前記第２金属板に基づいて位置設定される第２スタンド磁石を有する、保護ケース。
【００３９】
（５）（１）乃至（４）に記載の保護ケースであって、前記複数の磁石は、前記折り返し金属板に基づいて位置設定される折り返し磁石を有する、保護ケース。
【００４０】
（６）（１）乃至（５）に記載の保護ケースであって、前記第１金属板、前記第２金属板、及び前記折り返し金属板は、当該保護ケースの前面カバーが当該電子リーダーデバイスの背後に折り畳まれているときに、当該電子リーダーデバイスを当該保護ケースの背面カバーに固定するように、前記第１スタンド磁石、前記第２スタンド磁石、及び前記折り返し磁石とそれぞれ磁気的に結合される、保護ケース。
【００４１】
（７）（１）乃至（６）に記載の保護ケースであって、前記第１金属板及び前記第２金属板は、前記第１スタンド磁石及び前記第２スタンド磁石とそれぞれ磁気的に結合され、当該保護ケースの前面カバーの一部分は立ち状態となるように折り込まれる、保護ケース。
【００４２】
（８）（１）乃至（７）に記載の保護ケースであって、前記磁気遮蔽体は、当該保護ケースの前面カバーが当該電子リーダーデバイスの背後で折り畳まれているときに、前記ホールセンサ磁石による当該電子リーダーデバイス内に設けられたホールセンサの作用の誘発を防止するように構成される、保護ケース。
【００４３】
（９）（１）乃至（８）に記載の保護ケースであって、前記複数の磁石は、前記前面カバー内の第１所定の位置に存在する第１閉磁石を有し、前記第１閉磁石の所定の位置は、当該電子リーダーデバイス内に設けられた第２閉磁石に基づき、前記前面カバーが閉状態にあるときに前記第２閉磁石と磁気的に結合し、前記閉状態は、前記前面カバーが当該電子リーダーデバイスのディスプレイを覆う状態に対応する、保護ケース。
【００４４】
（１０）（１）乃至（９）に記載の保護ケースであって、前記ホールセンサ磁石は、当該電子リーダーデバイスの所定の位置に設けられた前記ホールセンサに基づいて前記前面カバーの所定の位置に設けられ、当該保護ケースの前面カバーが前記第１閉磁石及び前記第２閉磁石を介して当該電子リーダーデバイスに固定されるときに前記ホールセンサの作用を誘発するように構成され、当該電子リーダーデバイスは、前記ホールセンサ磁石が前記ホールセンサの作用を誘発するのに応じてスリープモードになる、保護ケース。
【００４５】
（１１）ホールセンサを含む電子リーダーデバイス及び保護ケースを有するシステムであって、当該保護ケースは、各々が所定の位置に設けられる複数の金属板を有して当該電子リーダーデバイスを固定するように構成される背面カバーと、複数の磁石を有する前面カバーを有し、前記複数の磁石の各々は所定の位置に設けられ、前記複数の磁石のうちの１つ以上は１つ以上の対応する金属板の位置に基づいて設置され、前記背面カバーはまた、磁気遮蔽体の上部に設けられるホールセンサ磁石を有し、前記ホールセンサ磁石は、当該保護ケースが閉状態にあるとき、当該保護ケースの前記磁気遮蔽体と前記背面カバーとの間に設けられる、システム。
【００４６】
（１２）（１１）に記載のシステムであって、前記背面カバーは複数の金属板を有し、前記複数の金属板のうちの少なくとも一は当該保護ケース内の所定の位置に設けられ、前記複数の金属板のうちの少なくとも一の所定の位置は、前記複数の磁石のうちの対応する磁石の位置に基づく、システム。
【００４７】
（１３）（１１）と（１２）に記載のシステムであって、前記複数の金属板は、前記背面カバー内に設けられた第１金属板を有し、前記第１金属板は前記前面カバー内に設けられた前記第１スタンド磁石に基づいて設けられる、システム。
【００４８】
（１４）（１１）乃至（１３）に記載のシステムであって、前記複数の金属板は、前記背面カバー内に設けられた第２金属板を有し、前記第２金属板は前記前面カバー内に設けられた前記第２スタンド磁石に基づいて設けられる、システム。
【００４９】
（１５）（１１）乃至（１４）に記載のシステムであって、前記複数の金属板は、前記背面カバー内に設けられた折り返し金属板を有し、前記折り返し金属板は前記前面カバー内に設けられた前記折り返し磁石に基づいて設けられる、システム。
【００５０】
（１６）（１１）乃至（１５）に記載のシステムであって、前記第１金属板、前記第２金属板、及び前記折り返し金属板は、当該保護ケースの前面カバーが当該電子リーダーデバイスの背後に折り畳まれているときに、当該電子リーダーデバイスを当該保護ケースの背面カバーに固定するように、前記第１スタンド磁石、前記第２スタンド磁石、及び前記折り返し磁石とそれぞれ磁気的に結合される、システム。
【００５１】
（１７）（１１）乃至（１６）に記載のシステムであって、前記第１金属板及び前記第２金属板は、前記第１スタンド磁石及び前記第２スタンド磁石とそれぞれ磁気的に結合され、当該保護ケースの前面カバーの一部分は立ち状態となるように折り込まれる、システム。
【００５２】
（１８）（１１）乃至（１７）に記載のシステムであって、前記磁気遮蔽体は、当該保護ケースの前面カバーが当該電子リーダーデバイスの背後で折り畳まれているときに、前記ホールセンサ磁石による当該電子リーダーデバイス内に設けられたホールセンサの作用の誘発を防止するように構成される、システム。
【００５３】
（１９）（１１）乃至（１８）に記載のシステムであって、前記複数の磁石は、前記前面カバー内の第１所定の位置に存在する第１閉磁石を有し、前記第１閉磁石の所定の位置は、当該電子リーダーデバイス内に設けられた第２閉磁石に基づき、前記前面カバーが閉状態にあるときに前記第２閉磁石と磁気的に結合し、前記閉状態は、前記前面カバーが当該電子リーダーデバイスのディスプレイを覆う状態に対応する、システム。
【００５４】
（２０）（１１）乃至（１９）に記載のシステムであって、前記ホールセンサ磁石は、当該電子リーダーデバイスの所定の位置に設けられた前記ホールセンサに基づいて前記前面カバーの所定の位置に設けられ、当該保護ケースの前面カバーが前記第１閉磁石及び前記第２閉磁石を介して当該電子リーダーデバイスに固定されるときに前記ホールセンサの作用を誘発するように構成され、当該電子リーダーデバイスは、前記ホールセンサ磁石が前記ホールセンサの作用を誘発するのに応じてスリープモードになる、システム。
【図１】
2019525352.tif 000003
【図２】
2019525352.tif 000004
【図３Ａ】
2019525352.tif 000005
【図３Ｂ】
2019525352.tif 000006
【図４Ａ】
2019525352.tif 000007
【図４Ｂ】
2019525352.tif 000008
【図５Ａ】
2019525352.tif 000009
【図５Ｂ】
2019525352.tif 000010
【国際調査報告】
2019525352.tif 000011
2019525352.tif 000012